(57)【要約】【課題】アンテナを選択する処理を高速化することにより受信品質を向上させること。【解決手段】受信部Ａ３０４、受信部Ｂ３０５及び受信部Ｃ３０６の各々は、電源オンの場合にはダイバーシティ受信してダウンコンバート等の信号処理を行い、電源オフの場合には信号処理を行わない。データ保存部３０９は、受信信号から抽出した自分が通信しているセルにおける、位置情報と全ての受信部の電源をオンにする非省電力モード若しくは受信部の一部の電源をオフにする省電力モードとを対応付けた情報を参照テーブルに保存して記憶する。位置情報取得部３１１は、ＧＰＳからの信号より位置情報を取得する。電源制御部３１２は、位置情報を用いて参照テーブルを参照することにより、省電力モードまたは非省電力モードを選択し、選択したモードに応じて各受信部の電源のオンとオフを切り換える。【選択図】    図３
2004312386.tif 000002
【特許請求の範囲】
【請求項１】
ダイバーシティアンテナを構成する各アンテナに接続される複数の受信手段と、位置情報と前記受信手段の一部を休止させる省電力モードにするか否かの情報とを対応付けたモード選択情報を記憶する第１記憶手段と、位置情報を取得する位置情報取得手段と、前記位置情報取得手段にて取得した位置情報と前記第１記憶手段に記憶されている前記モード選択情報とに基づいて、前記省電力モードまたは全ての前記受信手段にて受信信号の処理を行う非省電力モードのいずれか一方のモードを選択する切換制御手段と、を具備することを特徴とする通信端末装置。
【請求項２】
前記第１記憶手段は、受信信号より抽出した前記モード選択情報を記憶することを特徴とする請求項１記載の通信端末装置。
【請求項３】
前記モード選択情報は、位置情報と前記省電力モード若しくは前記非省電力モードとを対応付けて参照テーブルに保存されており、前記切換制御手段は、前記位置情報取得手段にて取得した位置情報を用いて前記参照テーブルを参照することにより前記省電力モードまたは前記非省電力モードのいずれか一方のモードを選択することを特徴とする請求項１または請求項２記載の通信端末装置。
【請求項４】
受信信号より受信品質を測定して受信品質を示す測定値がしきい値以上であるか否かを判定する信頼度検出手段と、前記測定値が前記しきい値以上である場合には前記省電力モードの情報と前記位置情報取得手段にて取得した位置情報とを対応付けて前記モード選択情報を作成し、前記測定値が前記しきい値未満である場合には前記非省電力モードの情報と前記位置情報取得手段にて取得した位置情報とを対応付けて前記モード選択情報を作成するモード選択情報作成手段と、前記モード選択情報作成手段にて作成した前記モード選択情報を送信する第１送信手段と、を具備することを特徴とする請求項１から請求項３のいずれかに記載の通信端末装置。
【請求項５】
前記切換制御手段は、前記受信手段の電源をオフにして前記省電力モードにすることを特徴とする請求項１から請求項４のいずれかに記載の通信端末装置。
【請求項６】
請求項１から請求項５のいずれかに記載の通信端末装置と通信を行う上位局装置であって、前記上位局装置は、前記モード選択情報を記憶する第２記憶手段と、前記通信端末装置が通信を行っているセルの前記モード選択情報を前記通信端末装置へ送信する第２送信手段と、を具備することを特徴とする上位局装置。
【請求項７】
位置情報と一部のアンテナを用いて受信信号を受信する省電力モードにするか否かの情報とを対応付けたモード選択情報を記憶するステップと、位置情報を取得するステップと、取得した位置情報を用いて記憶されている前記モード選択情報を参照することにより、前記省電力モードまたは全てのアンテナを用いて受信信号を受信する非省電力モードのいずれか一方のモードを選択するステップと、を具備することを特徴とするアンテナ選択方法。
【発明の詳細な説明】
【０００１】
【発明の属する技術分野】
本発明は、通信端末装置及び上位局装置に関し、特にダイバーシティ受信に用いるアンテナを選択するための情報を送受信する通信端末装置及び上位局装置に関する。
【０００２】
【従来の技術】
従来、複数のアンテナを用いてダイバーシティ受信を行う移動機は、フェージングの変化の緩急をフェージングピッチ判定回路で判定し、変化の激しい時は複数のアンテナの受信信号をそれぞれ複数の検波回路で検波し、合成制御回路で合成して復調出力を得る検波後合成ダイバーシティ方式と、フェージングの変化が緩やかな時は検波回路を省電力モードにして１つのアンテナを選択して検波回路で検波して復調出力を得るアンテナ切換ダイバーシティ方式とを選択的に切り換えるように構成している（例えば、特許文献１参照。）。
【０００３】
また、従来、移動機は、受信信号よりフェージングピッチを検出し、検出したフェージングピッチと所定のしきい値との大小比較をした後にアンテナの選択を行っている。
【０００４】
【特許文献１】
特開平７−１５３８０号公報
【０００５】
【発明が解決しようとする課題】
しかしながら、従来の通信端末装置及び上位局装置においては、移動機はアンテナを選択する毎にフェージングピッチを検出してフェージングピッチとしきい値との大小比較とを行う必要があるので、特に移動機が高速で移動している場合等においては、フェージングの緩急を判定してアンテナを選択した時には通信環境が異なる状態になっている可能性があることにより、最適なアンテナを選択したつもりが受信品質の劣化を招くという問題がある。
【０００６】
本発明はかかる点に鑑みてなされたものであり、アンテナを選択する処理を高速化することにより受信品質を向上させることを目的とする。
【０００７】
【課題を解決するための手段】
本発明の通信端末装置は、ダイバーシティアンテナを構成する各アンテナに接続される複数の受信手段と、位置情報と前記受信手段の一部を休止させる省電力モードにするか否かの情報とを対応付けたモード選択情報を記憶する第１記憶手段と、位置情報を取得する位置情報取得手段と、前記位置情報取得手段にて取得した位置情報と前記第１記憶手段に記憶されている前記モード選択情報とに基づいて、前記省電力モードまたは全ての前記受信手段にて受信信号の処理を行う非省電力モードのいずれか一方のモードを選択する切換制御手段と、を具備する構成を採る。
【０００８】
この構成によれば、位置情報とあらかじめ記憶されているモード選択情報に基づいて省電力モードにするか否かを判定するので、位置情報を取得するだけで省電力モードにするか否かを判定することができてアンテナを選択する処理を高速化することができる。したがって、例えば高速で移動している場合に省電力モードにするか否かを判定する処理を高速にすることができるので、最適なアンテナを選択したつもりが受信品質の劣化を招くことを防ぐことができて受信品質を向上させることができる。
【０００９】
本発明の通信端末装置は、前記構成において、前記第１記憶手段は、受信信号より抽出した前記モード選択情報を記憶する構成を採る。
【００１０】
この構成によれば、前記効果に加えて、受信信号より抽出したモード選択情報に基づいて省電力モードにするか否かを判定するので、記憶するモード選択情報量が少なくて済むことにより必要なメモリの容量を少なくすることができて小型化できる。
【００１１】
本発明の通信端末装置は、前記構成において、前記モード選択情報は、位置情報と前記省電力モード若しくは前記非省電力モードとを対応付けて参照テーブルに保存されており、前記切換制御手段は、前記位置情報取得手段にて取得した位置情報を用いて前記参照テーブルを参照することにより前記省電力モードまたは前記非省電力モードのいずれか一方のモードを選択する構成を採る。
【００１２】
この構成によれば、前記効果に加えて、参照テーブルを参照することにより省電力モードにするか否かを判定するので、簡単な判定方法を用いて省電力モードへの移行を高速に行うことができる。
【００１３】
本発明の通信端末装置は、前記構成において、受信信号より受信品質を測定して受信品質を示す測定値がしきい値以上であるか否かを判定する信頼度検出手段と、前記測定値が前記しきい値以上である場合には前記省電力モードの情報と前記位置情報取得手段にて取得した位置情報とを対応付けて前記モード選択情報を作成し、前記測定値が前記しきい値未満である場合には前記非省電力モードの情報と前記位置情報取得手段にて取得した位置情報とを対応付けて前記モード選択情報を作成するモード選択情報作成手段と、前記モード選択情報作成手段にて作成した前記モード選択情報を送信する第１送信手段と、を具備する構成を採る。
【００１４】
この構成によれば、前記効果に加えて、通信端末装置が現在通信を行っている位置の受信品質を用いてモード選択情報を作成するので、正確なモード選択情報を作成することができるとともに、作成したモード選択情報は例えば基地局装置へ送信して上位局にて記憶してもらうことができるので、作成したモード選択情報を記憶する記憶手段が不要になり小型化できる。
【００１５】
本発明の通信端末装置は、前記構成において、前記切換制御手段は、前記受信手段の電源をオフにして前記省電力モードにする構成を採る。
【００１６】
この構成によれば、前記効果に加えて、受信手段の電源をオフにする簡単な操作により省電力モードに移行することができるので、省電力モードへ移行するための処理を簡単にすることができるとともに、電源をオフにされた受信手段へは電源は供給されないので、極限まで通信端末装置の消費電力を低減することができる。
【００１７】
本発明の上位局装置は、上記のいずれかに記載の通信端末装置と通信を行う上位局装置であって、前記上位局装置は、前記モード選択情報を記憶する第２記憶手段と、前記通信端末装置が通信を行っているセルの前記モード選択情報を前記通信端末装置へ送信する第２送信手段と、を具備する構成を採る。
【００１８】
この構成によれば、通信端末装置が異なるセルに移動する毎に、通信端末装置の移動先のセル内の位置情報と対応付けられた省電力モードにするか否かの情報を通信端末装置へ送信するので、通信端末装置は全てのセルについてのモード選択情報を記憶するための記憶手段を備える必要がなく、通信端末装置の小型化を図ることができる。
【００１９】
本発明のアンテナ選択方法は、位置情報と一部のアンテナを用いて受信信号を受信する省電力モードにするか否かの情報とを対応付けたモード選択情報を記憶するステップと、位置情報を取得するステップと、取得した位置情報を用いて記憶されている前記モード選択情報を参照することにより、前記省電力モードまたは全てのアンテナを用いて受信信号を受信する非省電力モードのいずれか一方のモードを選択するステップと、を具備するようにした。
【００２０】
この方法によれば、上位局装置は、記憶しておいたモード選択情報を通信端末装置から要求された場合等の必要に応じて通信端末装置へ送信するので、通信端末装置は必要な時にだけモード選択情報を取得することができることにより通信端末装置における必要なメモリの容量を少なくすることができるとともに、通信端末装置がモード選択情報を取得した後は、例えば通信端末装置が高速で移動している場合に省電力モードにするか否かを判定する場合において、通信端末装置はモード選択情報に基づいてモードを選択するだけであるので、アンテナを選択する処理を高速にすることができ、最適なアンテナを選択したつもりが受信品質の劣化を招くことを防ぐことができて受信品質を向上させることができる。
【００２１】
【発明の実施の形態】
本発明の骨子は、上位局装置は、通信端末装置の位置を示す位置情報と通信端末装置に設けられて受信信号の処理を行う複数の受信手段の一部を休止させる省電力モードにするか否かの情報とを対応付けたモード選択情報を記憶して、通信端末装置から要求された場合等の必要に応じて、通信端末装置へモード選択情報を送信することである。
【００２２】
以下、本発明の実施の形態について、図面を参照して詳細に説明する。
【００２３】
（実施の形態１）
図１は、本実施の形態１に係る基地局装置１０１及びデータ記憶装置１０２の構成を示す図である。
【００２４】
上位局装置である基地局装置１０１とデータ記憶装置１０２の構成について、図１を用いて説明する。なお、基地局装置１０１とデータ記憶装置１０２とは有線にて接続されている。
【００２５】
最初に、基地局装置１０１の構成について説明する。
【００２６】
受信部１０４は、アンテナ１０３にて受信した受信信号を無線周波数からベースバンド周波数へダウンコンバート等して復調部１０５へ出力する。
【００２７】
復調部１０５は、受信部１０４から入力した受信信号を復調してデータ抽出部１０６へ出力する。
【００２８】
データ抽出部１０６（抽出手段）は、復調部１０５から入力した受信信号より参照テーブル作成用情報を抽出し、抽出した参照テーブル作成用情報を後述するデータ記憶装置１０２の参照テーブル作成部１１１へ出力する。ここで、参照テーブル作成用情報は、移動機が基地局装置１０１と通信を行っている位置を示す位置情報と移動機の各受信部の内の一部の受信部の電源をオフにして休止させる省電力モードにするか否かの情報とが対応付けられた情報である。また、省電力モードにするか否かの情報は、移動機の全ての受信部の電源をオンにする情報（以下「電源オン情報」と記載する）または移動機の受信部の一部を電源オフにする情報（以下「電源オフ情報」と記載する）である。
【００２９】
送信データ変換部１０７（第２送信手段）は、送信データに後述するデータ記憶装置１０２の記憶部１１２から入力した参照テーブルの情報を含めて変調部１０８へ出力する。
【００３０】
変調部１０８は、送信データ変換部１０７から入力した送信信号を変調して送信部１０９へ出力する。
【００３１】
送信部１０９は、変調部１０８から入力した送信信号をベースバンド周波数から無線周波数へアップコンバート等してアンテナ１１０より送信する。
【００３２】
次に、データ記憶装置１０２の構成について説明する。
【００３３】
参照テーブル作成部１１１（第２記憶手段）は、データ抽出部１０６から入力した各移動機から送信されてきた参照テーブル作成用情報を収集する。そして、参照テーブル作成部１１１は、タイマー等で計測した時間情報より所定時間経過した後に、複数の参照テーブル作成用情報を用いて参照テーブルを作成して、作成した参照テーブルの情報（モード選択情報）を記憶部１１２へ出力する。作成した参照テーブルは、位置情報と電源オン情報とを対応付けた情報及び位置情報と電源オフ情報とを対応付けた情報より構成される。なお、参照テーブルの電源オン情報及び電源オフ情報は、基地局装置１０１のセル内の異なる位置毎の情報である。
【００３４】
図２は、参照テーブルの一例を示したものである。位置情報は、緯度と経度を用いて表される情報であり、北緯（Ｎ）、南緯（Ｓ）、東経（Ｅ）及び西経（Ｗ）により位置が特定される。また、省電力モードにするか否かの情報は、各受信部における「電源ＯＮ」と「電源ＯＦＦ」の情報であり、「電源ＯＮ」の場合は「０」とし「電源ＯＦＦ」の場合は「１」とする。
【００３５】
記憶部１１２は、参照テーブル作成部１１１から入力した参照テーブルの情報を記憶する。そして、記憶部１１２は、参照テーブルの情報を特定の移動機へ送信するための要求信号が入力した場合には、参照テーブルの情報を送信データ変換部１０７へ出力する。この時、記憶部１１２は、記憶している参照テーブルの情報の全部または一部を出力する。移動機の移動範囲が小さい場合、または移動機がすでに参照テーブルの情報を記憶している場合でかつ一部の参照テーブルの情報を更新すれば良いだけの場合等においては、データ記憶装置１０２は、記憶部１１２に記憶されている参照テーブルの情報の一部を送信するだけで良いので、送信データ量を少なくすることが可能である。
【００３６】
次に、移動機の構成について、図３を用いて説明する。図３は、本実施の形態１に係る通信端末装置である移動機３００の構成を示す図である。
【００３７】
受信部Ａ３０４（受信手段）は、ダイバーシティアンテナを構成するアンテナ３０１にて受信した受信信号を無線周波数からベースバンド周波数へダウンコンバート等して復調部３０７へ出力する。
【００３８】
受信部Ｂ３０５（受信手段）は、ダイバーシティアンテナを構成するアンテナ３０２にて受信した受信信号を無線周波数からベースバンド周波数へダウンコンバート等して復調部３０７へ出力する。
【００３９】
受信部Ｃ３０６（受信手段）は、ダイバーシティアンテナを構成するアンテナ３０３にて受信した受信信号を無線周波数からベースバンド周波数へダウンコンバート等して復調部３０７へ出力する。
【００４０】
復調部３０７は、受信部Ａ３０４、受信部Ｂ３０５及び受信部Ｃ３０６から入力した受信信号を復調してデータ抽出部３０８と信頼度検出部３１０へ出力する。
【００４１】
データ抽出部３０８（モード選択情報抽出手段）は、復調部３０７から入力した受信信号より、参照テーブルの情報を抽出してデータ保存部３０９へ出力する。
【００４２】
データ保存部３０９（第１記憶手段）は、データ抽出部３０８から入力した参照テーブルの情報を保存する。
【００４３】
信頼度検出部３１０は、復調部３０７から入力した受信信号よりＲＳＳＩ（Ｒｅｃｅｉｖｅｄ  Ｓｉｇｎａｌ  Ｓｔｒｅｎｇｔｈ  Ｉｎｄｉｃａｔｏｒ）を所定時間間隔にて所定時間測定し、測定したＲＳＳＩと所定のしきい値αとを比較して、ＲＳＳＩがしきい値α以上である回数をカウントする。そして、信頼度検出部３１０は、カウント数としきい値βとを比較して、カウント数がしきい値β以上であるのかまたはしきい値β未満であるのかの情報（以下「信頼度情報」と記載する）を電源切換選択部３１３へ出力する。信頼度検出部３１０は、データ記憶装置１０２に記憶されている参照テーブルを更新する場合以外は動作させる必要はない。なお、信頼度検出部３１０の詳細は後述する。
【００４４】
位置情報取得部３１１は、ＧＰＳ衛星等を利用して取得した位置情報を検出して電源制御部３１２と電源切換選択部３１３へ出力する。
【００４５】
電源制御部３１２（切換制御手段）は、データ保存部３０９から入力した参照テーブルの情報と位置情報取得部３１１から入力した位置情報に基づいて電源オン情報または電源オフ情報を取得する。即ち、電源制御部３１２は、位置情報取得部３１１にて検出した位置情報を用いて参照テーブルを参照することにより、電源オフ情報または電源オン情報を得ることができる。電源制御部３１２は、電源オフ情報を取得した場合には、受信部Ａ３０４、受信部Ｂ３０５及び受信部Ｃ３０６の何れかの電源をオフにする省電力モードを選択し、電源オン情報を取得した場合には、受信部Ａ３０４、受信部Ｂ３０５及び受信部Ｃ３０６の全ての電源をオンにする非省電力モードを選択する。そして、電源制御部３１２は、選択した省電力モードまたは非省電力モードに応じて受信部Ａ３０４、受信部Ｂ３０５及び受信部Ｃ３０６の電源のオンまたはオフを制御する。このように、位置情報を用いて各受信部の電源を切り換える理由は、受信品質は、移動機３００が基地局装置１０１と通信を行っている位置に大きく依存するものであるため、移動機３００の基地局装置１０１に対する位置が同じであれば短期間においては受信品質に大きな変化はないとの前提に基づくものである。したがって、ある期間経過した後は、参照テーブルを更新することにより、より精度の高い電源オン情報及び電源オフ情報を得ることができる。
【００４６】
電源切換選択部３１３（モード選択情報作成手段）は、信頼度検出部３１０から入力した信頼度情報より、受信部Ａ３０４、受信部Ｂ３０５及び受信部Ｃ３０６の電源をオフにするか否かを移動機３００が現在基地局装置１０１と通信を行っている位置において判定する。電源切換選択部３１３は、信頼度情報より受信品質が良好であるものと判定した場合には、電源オフ情報と位置情報取得部３１１から入力した位置情報とを対応付けた参照テーブル作成用情報を作成し、信頼度情報より受信品質が劣化しているものと判定した場合には、電源オン情報と位置情報取得部３１１から入力した位置情報とを対応付けた参照テーブル作成用情報を作成する。そして、電源切換選択部３１３は、作成した参照テーブル作成用情報を送信信号変換部３１４へ出力する。なお、受信品質の判定方法については、後述する。
【００４７】
送信信号変換部３１４（第１送信手段）は、電源切換選択部３１３から入力した参照テーブル作成用情報を送信データに含めて変調部３１５へ出力する。
【００４８】
変調部３１５は、送信信号変換部３１４から入力した送信信号を変調して送信部３１６へ出力する。
【００４９】
送信部３１６は、変調部３１５から入力した送信信号をベースバンド周波数から無線周波数へアップコンバート等してアンテナ３１７より送信する。
【００５０】
次に、信頼度検出部３１０の構成について、図４を用いて説明する。図４は、本実施の形態１に係る信頼度検出部３１０の構成を示す図である。
【００５１】
信頼度判定部４０１は、復調部３０７より入力した受信信号より所定時間内に所定時間間隔にてＲＳＳＩを測定して、測定したＲＳＳＩとしきい値αとを比較して、ＲＳＳＩがしきい値α以上の場合に判定結果を判定結果カウント部４０２へ出力する。
【００５２】
判定結果カウント部４０２は、信頼度判定部４０１から判定結果が入力する毎に１ずつカウントして、所定時間経過した後にカウント数がしきい値β以上であるか否かを判定して、判定結果を信頼度情報として電源切換選択部３１３へ出力する。信頼度情報は、カウント数がしきい値β以上である場合には受信品質が良好であることを示し、カウント数がしきい値β未満である場合には受信品質が劣化していることを示すものである。
【００５３】
次に、基地局装置１０１及びデータ記憶装置１０２の動作について、図５を用いて説明する。
【００５４】
データ抽出部１０６は、受信信号より参照テーブル作成用情報を抽出する。そして、参照テーブル作成部１１１は、所定時間経過するまで参照テーブル作成用情報を収集する（ステップＳＴ５０１）。
【００５５】
次に、参照テーブル作成部１１１は、所定時間経過したか否かを判定し（ステップＳＴ５０２）、所定時間経過していない場合には参照テーブル作成用情報の収集を継続する。
【００５６】
ステップＳＴ５０２において、所定時間経過している場合には、参照テーブル作成部１１１は、参照テーブルを作成する（ステップＳＴ５０３）。
【００５７】
次に、参照テーブル作成部１１１にて作成した参照テーブルの情報は、記憶部１１２に記憶され、記憶部１１２は、要求信号が入力したか否かを監視する（ステップＳＴ５０４）。
【００５８】
要求信号が記憶部１１２に入力されない場合には、記憶部１１２は、所定時間間隔毎に要求信号が入力したか否か監視する。
【００５９】
ステップＳＴ５０４において、要求信号が記憶部１１２に入力した場合には、記憶部１１２は、参照テーブルの情報を送信データ変換部１０７へ出力する。そして、参照テーブルの情報は、送信データに含められて移動機３００へ送信される（ステップＳＴ５０５）。
【００６０】
次に、移動機３００が、参照テーブル作成用情報を基地局装置１０１へ送信する場合の動作について、図６を用いて説明する。
【００６１】
複数のアンテナ３０１、３０２、３０３にて受信された受信信号は、電源がオンになっている受信部Ａ３０４、受信部Ｂ３０５及び受信部Ｃ３０６にて無線周波数からベースバンド周波数へダウンコンバート等され、復調部３０７にて復調されて所定時間内に信頼度検出部３１０にてＲＳＳＩを測定される（ステップＳＴ６０１）。
【００６２】
次に、信頼度検出部３１０は、所定時間間隔毎に測定したＲＳＳＩがしきい値α以上であるか否かを判定し（ステップＳＴ６０２）、ＲＳＳＩがしきい値α以上である場合毎に１ずつカウントする（ステップＳＴ６０３）。ＲＳＳＩがしきい値α未満である場合には、カウントせずにＲＳＳＩの測定を継続する。
【００６３】
次に、信頼度検出部３１０は、所定時間経過したか否かを判定し（ステップＳＴ６０４）、所定時間経過していればカウント数がしきい値β以上であるか否かを判定する（ステップＳＴ６０５）。ステップＳＴ６０４において、所定時間経過していない場合には、ステップＳＴ６０１からステップＳＴ６０３の処理を繰り返す。
【００６４】
次に、カウント数がしきい値β以上である場合には、電源切換選択部３１３は、受信品質が良好であるものと判断し、電源オン情報を生成する（ステップＳＴ６０６）。ステップＳＴ６０５において、カウント数がしきい値β未満である場合には、電源切換選択部３１３は、受信品質が劣化しているものと判断し、電源オフ情報を生成する（ステップＳＴ６０７）。
【００６５】
次に、電源切替選択部１１３は、位置情報と電源オフ情報若しくは電源オン情報を用いて参照テーブル作成用情報を作成して送信信号変換部３１４へ出力する（ステップＳＴ６０８）。
【００６６】
次に、送信信号変換部３１４は、送信データに参照テーブル作成用情報を含ませて送信する（ステップＳＴ６０９）。
【００６７】
次に、移動機３００が省電力モードまたは非省電力モードを選択して受信信号を受信する動作について、図７を用いて説明する。
【００６８】
最初に、受信信号は、電源がオンになっている受信部Ａ３０４、受信部Ｂ３０５及び受信部Ｃ３０６にて受信され（ステップＳＴ７０１）、無線周波数からベースバンド周波数へダウンコンバート等の処理をされて、復調部３０７にて復調されて、基地局装置１０１が参照テーブル作成用情報を用いて作成した参照テーブルの情報をデータ抽出部３０８にて抽出される（ステップＳＴ７０２）。抽出された参照テーブルの情報は、データ保存部３０９にて保存される。次に、位置情報取得部３１１は、位置情報を取得する（ステップＳＴ７０３）。
【００６９】
次に、電源制御部３１２は、位置情報取得部３１１にて取得された位置情報を用いて参照テーブルを参照して、移動機３００が現在基地局装置１０１と通信を行っている位置に対応付けられているのは電源オフ情報であるか否かを判定する（ステップＳＴ７０４）。電源オフ情報である場合は、一部の受信部の電源をオフにする省電力モードにして、電源がオンである受信部のみを用いてダイバーシティ受信（以下「選択ダイバーシティ受信」と記載する）を行う（ステップＳＴ７０５）。一方、ステップＳＴ７０４において、移動機３００が現在基地局装置１０１と通信を行っている位置に対応付けられているのは電源オン情報である場合は、全ての受信部Ａ３０４、受信部Ｂ３０５及び受信部Ｃ３０６を用いて受信した受信信号を合成するダイバーシティ受信（以下「合成ダイバーシティ受信」と記載する）を行う（ステップＳＴ７０６）。
【００７０】
次に、選択ダイバーシティ受信または合成ダイバーシティ受信した受信信号を復調して（ステップＳＴ７０７）、通信を終了するか否かを判定する（ステップＳＴ７０８）。通信を終了しない場合には、ステップＳＴ７０３からステップＳＴ７０７の処理を繰り返す。
【００７１】
このように、本実施の形態１によれば、移動機が取得した位置情報を用いて基地局装置から送信された参照テーブルを参照することにより選択ダイバーシティ受信するのか合成ダイバーシティ受信するのかを判断するので、移動機が高速に移動する場合等において、アンテナを選択するための処理を高速にすることができて最適なアンテナを選択したつもりが受信品質の劣化を招くという状態を回避することができて、受信品質を向上させることができる。また、本実施の形態１によれば、移動機は、選択ダイバーシティ受信するのかまたは合成ダイバーシティ受信するのかをＲＳＳＩに基づいて判定するので、受信品質が劣化している場合にのみ合成ダイバーシティ受信にすることができて消費電力を充分に低減することができる。
【００７２】
（実施の形態２）
図８は、本実施の形態２に係る基地局装置８０１及びデータ記憶装置１０２の構成を示すブロック図である。図８に示すように、本実施の形態２に係る基地局装置８０１は、図１に示す本実施の形態１に係る基地局装置１０１において、電源切換判定部８０２を追加するものである。なお、本実施の形態２においては、本実施の形態１と同一構成である部分には同一の符号を付してその説明は省略する。
【００７３】
データ抽出部１０６は、復調部１０５から入力した受信信号より信頼度情報と位置情報を抽出して電源切換判定部８０２へ出力する。
【００７４】
電源切換判定部８０２は、データ抽出部１０６から入力した信頼度情報より移動機の各受信部の電源をオフにするか否かを判定して参照テーブル作成用情報を生成して参照テーブル作成部１１１へ出力する。
【００７５】
図９は、本実施の形態２に係る通信端末装置である移動機９００の構成を示すブロック図である。図９に示すように、移動機９００は、図３に示す移動機３００において、電源切換選択部３１３を削除するものである。なお、図３と同一構成の部分には同一の符号を付して、その説明は省略する。
【００７６】
信頼度検出部３１０は、復調部３０７から入力した受信信号よりＲＳＳＩを所定時間間隔にて所定時間測定し、測定したＲＳＳＩと所定のしきい値αとを比較して、ＲＳＳＩがしきい値α以上である回数をカウントする。そして、信頼度検出部３１０は、カウント数としきい値βとを比較して、信頼度情報を電源切換選択部３１３へ出力する。信頼度検出部３１０は、信頼度情報を送信信号変換部３１４へ出力する。
【００７７】
位置情報取得部３１１は、ＧＰＳ衛星等を利用して取得した位置情報を検出して電源制御部３１２と送信信号変換部３１４へ出力する。
【００７８】
送信信号変換部３１４は、信頼度検出部３１０から入力した信頼度情報と位置情報取得部３１１から入力した位置情報とを対応付けて参照テーブル作成用情報を作成し、作成した参照テーブル作成用情報を送信データに含める。
【００７９】
なお、基地局装置８０１及びデータ記憶装置１０２の動作は図４と同一であり、移動機９００が、参照テーブル作成用情報を送信する場合の動作は、移動機９００が、電源オン情報及び電源オフ情報を用いて参照テーブル作成用情報を作成する代わりに信頼度情報を用いて参照テーブル作成用情報を作成する以外は図６と同一であり、移動機９００が省電力モードまたは非省電力モードを選択して受信信号を受信する動作は図７と同一であるので、その説明は省略する。
【００８０】
このように、本実施の形態２によれば、上記実施の形態１の効果に加えて、移動機の各受信部の電源をオフにするか否かを基地局装置が判定するので、移動機に各受信部の電源をオフにするか否かを判定するための回路が不要になり、移動機を小型化することができるとともに移動機をさらに省電力にすることができる。
【００８１】
（実施の形態３）
図１０は、本実施の形態３に係る基地局装置１００１−１〜１００１−ｎとデータ記憶装置１００２から構成される上位局装置１０００の構成を示す図である。図１０に示すように、本実施の形態３に係る上位局装置１０００において、図１と同一構成である部分には同一の符号を付してその説明は省略する。また、本実施の形態３における移動機の構成は、図３と同一構成であるのでその説明は省略する。
【００８２】
データ記憶装置１００２は、参照テーブル作成部１１１と記憶部１１２とから構成される。
【００８３】
データ抽出部１０６は、復調部１０５から入力した受信信号から参照テーブル作成用情報を抽出して、参照テーブル作成部１１１へ出力する。
【００８４】
送信データ変換部１０７は、記憶部１１２から入力した参照テーブルの情報を送信データに含めて変調部１０８へ出力する。
【００８５】
参照テーブル作成部１１１は、各基地局装置１００１−１〜１００１−ｎのデータ抽出部１０６から入力した各移動機から送信されてきた参照テーブル作成用情報を収集する。そして、参照テーブル作成部１１１は、タイマー等で計測した時間情報より所定時間経過した後に、複数の参照テーブル作成用情報を用いて参照テーブルを作成して、作成した参照テーブルの情報を記憶部１１２へ出力する。作成した参照テーブルは、位置情報と電源オフ情報とを対応付けた情報及び位置情報と電源オフ情報とを対応付けた情報より構成される。なお、参照テーブルの電源オン情報及び電源オフ情報は、基地局装置１００１−１〜１００１−ｎの各セルを合わせた全てのセルにおける異なる位置毎の情報である。
【００８６】
記憶部１１２は、参照テーブル作成部１１１から入力した参照テーブルの情報を記憶する。そして、記憶部１１２は、参照テーブルの情報を移動機へ送信するための要求信号が入力した場合には、参照テーブルの情報が必要な移動機が通信を行っているセルの基地局装置１００１−１〜１００１−ｎの送信データ変換部１０７へ参照テーブルの情報を出力する。この時、記憶部１１２が送信データ変換部１０７へ出力する参照テーブルの情報は、全ての基地局装置１００１−１〜１００１−ｎに対応した参照テーブルの情報ではなく、１つまたは一部の基地局装置１００１−１〜１００１−ｎに対応した参照テーブルの情報であるため、参照テーブルの情報を受け取る移動機の記憶容量は少なくて済む。また、記憶部１１２は、参照テーブルの情報を任意の複数のグループに分けて記憶することにより、グループ単位で送信データ変換部１０７へ出力することが可能になる。
【００８７】
このように、本実施の形態３によれば、上記実施の形態１の効果に加えて、参照テーブルの作成及び記憶はデータ記憶装置が行い、基地局装置は移動機からの要求に応じてデータ記憶装置から出力された参照テーブルの情報を移動機へ送信するだけで良いので、基地局装置を小型化することができるとともに基地局措置を省電力にすることができる。また、本実施の形態３によれば、参照テーブルの作成及び記憶はデータ記憶装置が行うので、各基地局装置から参照テーブル作成用情報を収集して広範囲のエリアの参照テーブルを作成することができるとともに、情報量が多いのでより精度の高い参照テーブルを作成することができる。
【００８８】
なお、上記実施の形態１〜３においては、移動機の受信部は３つ設けることとしたが、これに限らず、移動機の受信部の数は２つまたは４つ以上にしても良い。
【００８９】
また、上記実施の形態１〜３においては、参照テーブルの情報を記憶するデータ記憶装置は基地局装置と有線にて接続する場合について説明したが、これに限らず、データ記憶装置は通信端末装置の上位局装置である基地局装置、基地局装置の上位局装置である制御局装置に設けても良いし、または移動機に設けても良い。
【００９０】
また、上記実施の形態１〜３においては、省電力モードの場合には一部の受信部の電源をオフにすることとしたが、これに限らず、省電力モードの場合には一部の受信部に微少電流を流すようにしても良いし、要するに全ての受信部を用いてダイバーシティ受信している状態と比べて消費電力が少なくなるものであれば省電力モードは任意の状態に設定することができる。
【００９１】
また、上記実施の形態１〜３においては、信頼度検出部にてＲＳＳＩとしきい値αとを比較することとしたが、これに限らず、受信レベルまたはＳＩＲ等の任意の受信品質を示す測定値としきい値αとを比較して受信部の電源を切り換えるようにしても良い。
【００９２】
また、上記実施の形態１〜３においては、位置情報はＧＰＳを用いて取得することとしたが、これに限らず、受信信号より位置情報を検出するようにしても良い。
【００９３】
また、上記実施の形態１〜３においては、移動機が受信部の電源をオフにするか否かを判定する際は、受信信号から抽出した参照テーブルの情報と移動機が取得した位置情報とを用いることとしたが、これに限らず、移動機が検出した信頼度情報、参照テーブルの情報及び位置情報を用いて移動機が受信部の電源をオフにするか否かを判定しても良い。
【００９４】
【発明の効果】
以上説明したように、本発明によれば、アンテナを選択する処理を高速化することにより受信品質を向上させることができる。
【図面の簡単な説明】
【図１】本発明の実施の形態１に係る上位局装置の構成を示すブロック図
【図２】本発明の実施の形態１に係る上位局装置の記憶部に記憶される参照テーブルを示す図
【図３】本発明の実施の形態１に係る移動機の構成を示すブロック図
【図４】本発明の実施の形態１に係る信頼度検出部の構成を示すブロック図
【図５】本発明の実施の形態１に係る上位局装置の動作を示すフロー図
【図６】本発明の実施の形態１に係る移動機の動作を示すフロー図
【図７】本発明の実施の形態１に係る移動機の動作を示すフロー図
【図８】本発明の実施の形態２に係る上位局装置の構成を示すブロック図
【図９】本発明の実施の形態２に係る移動機の構成を示すブロック図
【図１０】本発明の実施の形態３に係る上位局装置の構成を示すブロック図
【符号の説明】
１０１  基地局装置
１０２  データ記憶装置
１０６  データ抽出部
１０７  送信データ変換部
１１１  参照テーブル作成部
１１２  記憶部
３０４  受信部Ａ
３０５  受信部Ｂ
３０６  受信部Ｃ
３０８  データ抽出部
３０９  データ保存部
３１０  信頼度検出部
３１１  位置情報取得部
３１２  電源制御部
３１３  電源切換選択部
３１４  送信信号変換部
【図１】
2004312386.tif 000003
【図２】
2004312386.tif 000004
【図３】
2004312386.tif 000005
【図４】
2004312386.tif 000006
【図５】
2004312386.tif 000007
【図６】
2004312386.tif 000008
【図７】
2004312386.tif 000009
【図８】
2004312386.tif 000010
【図９】
2004312386.tif 000011
【図１０】
2004312386.tif 000012